(57)【特許請求の範囲】
【請求項１】
複数のヒューズ位置決め開口部および前記複数のヒューズ位置決め開口部に隣接する中実部を有するヒューズ位置決めテンプレートであって、前記ヒューズ位置決め開口部が、前記ヒューズ位置決めテンプレートをそれぞれ貫通して延設されると共に、ヒューズリレーセンターのそれぞれ別のヒューズホルダと位置合わせされるように構成されており、前記中実部が、前記ヒューズ位置決めテンプレートのヒューズ止め部を構成している、前記ヒューズ位置決めテンプレートと、
複数のヒューズローディング開口部を有すると共に前記ヒューズ位置決めテンプレートの上面と係合して第１の位置と第２の位置の間で摺動するように構成されたヒューズローディングブロックであって、前記ヒューズローディング開口部が、前記ヒューズローディングブロックを貫通して延設されている、前記ヒューズローディングブロックと、
を含み、
前記第１の位置において、前記複数のヒューズローディング開口部のそれぞれは、前記ヒューズローディング開口部に差し込まれたヒューズが前記ヒューズ止め部により各ヒューズローディング開口部内に保持されるように、前記ヒューズ位置決めテンプレートの前記ヒューズ止め部と位置合わせされており、
前記第２の位置において、前記複数のヒューズローディング開口部は、前記ヒューズローディング開口部内にあるヒューズが前記ヒューズ位置決め開口部を通って前記ヒューズリレーセンターのヒューズホルダに送られ得るように、それぞれ別のヒューズ位置決め開口部と位置合わせされている、ヒューズ位置決め器具。
【請求項２】
前記ヒューズローディングブロックは、付勢機構により前記第１の位置に付勢されている、請求項１に記載のヒューズ位置決め器具。
【請求項３】
前記付勢機構は、付勢バネである、請求項２に記載のヒューズ位置決め器具。
【請求項４】
前記ヒューズ位置決めテンプレートの前記上面は、前記付勢バネを収容するように構成された付勢バネガイドチャネルをさらに含む、請求項３に記載のヒューズ位置決め器具。
【請求項５】
前記ヒューズローディングブロックは、その底面に、前記ヒューズ位置決めテンプレートの前記付勢バネガイドチャネル内に延びるように構成された付勢ポストを含む、請求項４に記載のヒューズ位置決め器具。
【請求項６】
前記ヒューズ位置決めテンプレートは、それぞれが前記ヒューズ位置決めテンプレートの前記上面から延設されたほぼ円形の柱として形成された複数の留め具ホルダをさらに含み、
前記ヒューズローディングブロックは、前記ヒューズローディングブロックを貫通して延設されて前記留め具ホルダを収容する複数の細長い穴をさらに含む、請求項１に記載のヒューズ位置決め器具。
【請求項７】
複数の留め具をさらに含み、
前記複数の留め具のそれぞれは、それぞれ別の留め具ホルダと対になって、前記ヒューズローディングブロックが前記ヒューズ位置決めテンプレートに摺動可能に係合するように構成されている、請求項１に記載のヒューズ位置決め器具。
【請求項８】
前記ヒューズ位置決めテンプレートの上面は、ヒューズローディングブロック用チャネルを形成するように配置された複数のガイドを含み、前記ヒューズローディングブロックは、前記ローディングブロック用チャネル内で摺動するように配設されている、請求項１に記載のヒューズ位置決め器具。
【請求項９】
第２ヒューズローディングブロックを含み、
前記ヒューズローディングブロックは、前記ヒューズ位置決め器具の横軸に沿って摺動するように構成され、前記第２ヒューズローディングブロックは、前記ヒューズ位置決め器具の長手軸に沿って摺動するように構成されている、請求項１に記載のヒューズ位置決め器具。
【請求項１０】
前記ヒューズ位置決めテンプレートの底面は、前記ヒューズリレーセンターのそれぞれ別の位置合わせノッチを受けるように構成された複数の位置合わせ溝をさらに含む、請求項１に記載のヒューズ位置決め器具。
【請求項１１】
前記ヒューズローディングブロックは、複数のヒューズテンプレートポケットをさらに含み、
前記ヒューズテンプレートポケットのそれぞれは、前記ヒューズローディングブロックの上面においてそれぞれ別のヒューズローディング開口部に隣接して配置され、テンプレートヒューズを保持するように構成され、前記テンプレートヒューズは、隣接するヒューズローディング開口部に配置されるヒューズの種類を示すものである、請求項１に記載のヒューズ位置決め器具。
【請求項１２】
前記複数のヒューズ位置決め開口部は、前記ヒューズ止め部によりそれぞれ分離された複数列に並べられている、請求項１に記載のヒューズ位置決め器具。
【発明の詳細な説明】
【技術分野】
【０００１】
本開示は、トラックのヒューズリレーセンター（fuse relay center）にヒューズを迅速に配置できるように構成されたヒューズ位置決め器具に関する。
【背景技術】
【０００２】
トラックは、多くの場合、車両の電気系統の様々な回路で使用される複数のヒューズを一つの装置内に収納したヒューズリレーセンターを備えている。様々なトラックや様々なトラックモデル毎に仕様の異なるヒューズリレーセンターを設計することで生じるコストを抑える工夫として、共通のヒューズリレーセンターを複数の製品ラインにわたって使用することがある。全トラックモデルに共通する回路用のヒューズホルダに加えて、特定のトラックモデルに特有の回路用のヒューズホルダを備えるようにヒューズリレーセンターを設計してもよい。従来、特殊なトラックやトラックモデルに必要なヒューズは、共通のものも特有のものも共に、組み立てラインで働く作業員に提供される作業指示書を基にヒューズリレーセンターに手作業で配置されている。このような方法は一般的には有効であるが、時として困難で時間が掛かる。さらに、このような方法では作業員によるエラーに繋がりがちで、これによりトラックの生産において遅延や追加コストが発生するおそれがある。
【発明の概要】
【発明が解決しようとする課題】
【０００３】
したがって、トラックの生産に係る時間とコストの両方を抑えつつ、ヒューズを効率的かつ正確にヒューズリレーセンター内に配置する器具および方法が必要とされている。
【課題を解決するための手段】
【０００４】
本開示は、ヒューズリレーセンターにヒューズを迅速に配置できるように構成されたヒューズ位置決め器具（fuse positioning fixture）に関する。一実施形態では、ヒューズ位置決め器具は、ヒューズ位置決めテンプレート（fuse positioning template）とヒューズローディングブロック（fuse loading block）とを含む。ヒューズ位置決めテンプレートは、板状の部材であり、リレーセンターと接続され、ヒューズリレーセンターの上にしっかりと載るように構成された底面を有する。ヒューズ位置決めテンプレートは、ヒューズリレーセンターのヒューズホルダ位置に対応する複数のヒューズ位置決め開口部を含む。ヒューズ位置決め開口部のそれぞれは、ヒューズ位置決めテンプレートを貫通して延設されていると共に（つまり、テンプレートの上面および底面の両方に開口する）、ヒューズ位置決めテンプレートがヒューズリレーセンター上に配置されるときにヒューズリレーセンターのヒューズホルダのうちの対応するものと位置合わせされる。ヒューズ位置決めテンプレートのヒューズ位置決め開口部間の中実部は、後述のようにヒューズ止め部を構成するものである。ヒューズローディングブロックは、ヒューズ位置決めテンプレートの上面上を摺動するように取り付けられている。ヒューズローディングブロックは、複数のヒューズローディング開口部を含み、ヒューズローディング開口部のそれぞれは、ヒューズローディングブロックを貫通して延設されている（extend through）と共に、それぞれ別の（different one）ヒューズ位置決め開口部に対応している。ヒューズローディングブロックは、ヒューズ位置決めテンプレートの上面と摺動可能に係合して、第１の位置と第２の位置との間で移動可能なように構成されている。第１の位置において、ヒューズローディング開口部のそれぞれは、ヒューズローディング開口部内に配置されたヒューズがその位置でヒューズ止め部により保持されるように、ヒューズ位置決めテンプレートのヒューズ止め部と位置合わせされている。第２の位置において、ヒューズローディング開口部のそれぞれは、ヒューズローディング開口部内にあるヒューズがヒューズ位置決め開口部を通ってヒューズリレーセンターのヒューズホルダに送られ得るように、それぞれ別のヒューズ位置決め開口部と位置合わせされている。ヒューズをヒューズリレーセンターのヒューズホルダ内に落下させる前にヒューズローディングブロック内に配置されそこで保持されるようにすることで、作業員はより正確かつ効率的にヒューズをヒューズリレーセンター内に配置することができる。したがって、トラック製造プロセスのこの工程を改善することができ、これにより時間とコストの両方を抑えることができる。
【０００５】
一実施形態では、ヒューズローディングブロックは、付勢機構により第１の位置に付勢される。付勢機構は、付勢バネ（biasing spring）としてもよい。一実施形態では、付勢バネは、ヒューズ位置決めテンプレートの付勢バネガイドチャネルの面とヒューズローディングブロックに形成された付勢ポストとの間で動作する。
【０００６】
一実施形態では、ヒューズ位置決めテンプレートは、その上面から延設された複数の留め具ホルダを含む。ヒューズローディングブロックは、同数の細長い穴（elongated apertures）を含んでもよい。ヒューズローディングブロックの細長い穴は、ヒューズ位置決めテンプレートの留め具ホルダを収容し、これにより留め具ホルダが細長い穴内で摺動可能となっている。これらの穴は、ヒューズ位置決め器具の長手軸（longitudinal axis）やヒューズ位置決め器具の横軸（lateral axis）に沿って延設されてもよく、これによりヒューズローディングブロックがそれぞれ長手軸や横軸に沿って動くようになっている。一実施形態では、留め具が留め具ホルダと係合してヒューズローディングブロックをヒューズ位置決めテンプレートに対して摺動可能としつつ固定している。
【０００７】
一実施形態では、ヒューズ位置決めテンプレートの底面は、複数の位置合わせ溝（alignment recesses）を含み、これらの位置合わせ溝は、ヒューズリレーセンターから延びる位置合わせノッチを受ける（accept）ように構成されている。一実施形態では、ヒューズ位置決めテンプレートの位置合わせ溝は、ヒューズリレーセンターの位置合わせノッチを一方向でのみ受ける。したがって、ヒューズ位置決め器具をヒューズリレーセンターの上部に容易に正しく配置することでき、また正しく配置されていることを確認できる。
【０００８】
一実施形態では、ヒューズローディングブロックの上面は、複数のヒューズテンプレートポケットを含み、これらのヒューズテンプレートポケットは、それぞれ別のヒューズローディング開口部に隣接している。ヒューズテンプレートポケットは、テンプレートヒューズを保持して、隣接するヒューズローディング開口部に配置されるヒューズの種類を示すように構成されている。一実施形態では、テンプレートヒューズは、ヒューズテンプレートポケット内に適切に載置されるように導電部分が取り除かれたヒューズである。テンプレートヒューズは、ヒューズ位置決め器具にヒューズを差し込む作業員が、どのヒューズローディング開口部にどのヒューズを配置すべきかを容易に見て取れることを可能にして、これによりヒューズリレーセンター内にヒューズを配置する際の正確さと効率をさらに改善することができる。
【０００９】
当業者であれば、本開示の範囲は認識可能であり、また好ましい実施形態についての下記の詳細な説明を添付の図面を参照しつつ読めば本開示の他の態様についても実現可能である。
【００１０】
本明細書に組み込まれ本明細書の一部を成す添付の図面は、本開示の複数の態様を例示するもので、本明細書の記載と共に本開示の原理を説明するためのものである。
【図面の簡単な説明】
【００１１】
【図１】本開示の一実施形態によるヒューズ位置決め器具の分解図である。
【図２】本開示の一実施形態によるヒューズ位置決め器具の等角図である。
【図３Ａ】本開示のいくつかの実施形態によるヒューズ位置決め器具の平面図である。
【図３Ｂ】本開示のいくつかの実施形態によるヒューズ位置決め器具の平面図である。
【図４】本開示の一実施形態によるヒューズローディングブロックの底面図である。
【図５】本開示の別の実施形態によるヒューズローディングブロックの底面図である。
【図６Ａ】本開示の一実施形態によるヒューズ位置決め器具をその動作に関して示す断面図である。
【図６Ｂ】本開示の一実施形態によるヒューズ位置決め器具をその動作に関して示す断面図である。
【図７Ａ】本開示の別の実施形態によるヒューズ位置決め器具をその動作に関して示す断面図である。
【図７Ｂ】本開示の別の実施形態によるヒューズ位置決め器具をその動作に関して示す断面図である。
【図８Ａ】本開示の一実施形態によるヒューズリレーセンターの断面図である。
【図８Ｂ】本開示の一実施形態によるヒューズリレーセンターの断面図である。
【発明を実施するための形態】
【００１２】
以下に開示する実施形態は、当業者が当該実施形態を実施する際に必要な情報を述べたもので、当該実施形態を実施する上でのベストモードを例示している。以降の記載を添付の図面と併せて読めば、当業者であれば本開示の思想を理解可能であり、本明細書中において特に言及しないその思想の応用についても認識可能である。この思想および応用は、本開示と請求の範囲の要旨に含まれるものであることも理解されるものである。
【００１３】
本明細書において使用される第１、第２などの用語は、様々な構成要素を説明するためのものであるが、その構成要素はこれらの用語によって何ら限定されるものではないことを理解されたい。上記の用語はある構成要素を他の構成要素と区別するためだけに用いられるものである。本明細書で使用するとき、用語「および／または」は、互いに関連して記載されたアイテムの１つまたは複数の任意の組み合わせまたはすべての組み合わせを含む。
【００１４】
層、領域または基板などの構成要素が他の構成要素の「上（on）」にあるかまたはその「上（onto）」に延設されると記載される場合、当該他の構成要素上に直接あってもまたは直接延設されてもよいし、あるいは介在する構成要素が存在してもよいことを理解されたい。反対に、ある構成要素が他の構成要素の「上に直接ある（being "directly on"）」または「上に直接延設される（extending "directly onto"）」と記載される場合は、いかなる構成要素も介在しない。同様に、層、領域または基板などの構成要素が他の構成要素の「上（over）」にあるかまたはその「上（over）」に延設されると記載される場合、当該他の構成要素上に直接あってもまたは直接延設されてもよいし、あるいは介在する構成要素が存在してもよいことを理解されたい。反対に、ある構成要素が他の構成要素の「上に直接ある」または「上に直接延設される」と記載される場合は、いかなる構成要素も介在しない。ある構成要素が他の構成要素に「接続される」かまたは「連結される」と記載される場合、他の構成要素に直接接続されるか連結されてもよいし、あるいは介在する構成要素が存在してもよいことを理解されたい。反対に、ある構成要素が他の構成要素に「直接接続される」かまたは「直接連結される」と記載される場合、いかなる構成要素も介在しない。
【００１５】
本明細書において、「下方」や「上方」、「上側」や「下側」、「横」や「縦」などの相対的な用語は、図面に示す一の要素、層または領域と他の要素、層または領域との関係を説明するために用いられる。これらの用語および上述した内容は、図面に示した向きに加えてその器具の別の向きについても含むことを意図したものであることを理解されたい。
【００１６】
本明細書において使用される用語は、特定の実施形態を記述する目的でのみ使用されるもので、本開示を限定するものではない。本明細書においては、文脈により別途明確に示されない限り、単数で記載されたものは複数の場合をも含むものである。本明細書において使用するとき、用語「を含む（comprises、comprising、includesおよび／またはincluding）」は、言及された特徴、完全体、ステップ、動作、構成要素および／または部品が存在することを明確に記すものであるが、１つまたは複数の他の特徴、完全体、ステップ、動作、構成要素、部品および／またはそれらの群の有無を排除しないことを理解されたい。
【００１７】
別途定義されない限り、本明細書において使用されるすべての用語（技術用語や科学用語を含む）は、本開示の属する技術分野の当業者により一般に理解されるものと同じ意味を有する。さらに、本明細書において使用される用語は、本明細書の文脈と関連技術における意味と矛盾しない意味を有すると解釈されるべきであって、本明細書において特に定義されない限り理想化された意味又は過度に形式的な意味で解釈されるべきでないことも理解されたい。
【００１８】
図１および図２は、本開示の一実施形態によるヒューズ位置決め器具１０を示す。図１は、ヒューズ位置決め器具１０の分解図であり、図２は、ヒューズ位置決め器具１０の等角図である。ヒューズ位置決め器具１０は、ヒューズ位置決めテンプレート１２、第１ヒューズローディングブロック１４、第２ヒューズローディングブロック１６、第１付勢バネ１８、第２付勢バネ２０および複数の留め具２２を含む。ヒューズ位置決めテンプレート１２は、上面２４と底面２６とを含む。ヒューズ位置決めテンプレート１２は、複数のヒューズ位置決め開口部２８を含み、これらは上面２４からヒューズ位置決めテンプレート１２を貫通して延設される。上面２４のヒューズ位置決め開口部２８間の中実部（solid portions）は、後述するヒューズ止め部（fuse blocking portion）３０を構成するものである。ヒューズ位置決め開口部２８は、ヒューズ止め部３０によりそれぞれ分離された複数列に並べられている。
【００１９】
図１に示す一実施形態において、ヒューズ位置決め開口部２８は、２つのグループに分けて配置され、ヒューズ位置決め開口部２８の第１グループは、ヒューズ位置決めテンプレート１２の長手方向に沿った面（longitudinal surface）３２に平行な第１の方向に列を形成し、ヒューズ位置決め開口部２８の第２グループは、ヒューズ位置決めテンプレート１２の横方向に沿った面（lateral surface）３４に平行な列を形成する。当業者は、ヒューズリレーセンターのヒューズホルダの個々のレイアウトに必要なヒューズ位置決め開口部２８の個別のレイアウトを理解するであろう。
【００２０】
ヒューズローディングブロック１４、１６は、上面２４上に摺動可能に配置されている。ヒューズ位置決めテンプレート１２の上面２４は、ヒューズローディングブロックガイド３６を含み、このヒューズローディングブロックガイド３６は、上面に形成された隆起部であると共に、ヒューズ位置決め器具１０を組み立てたときに第１ヒューズローディングブロック１４と第２ヒューズローディングブロック１６の一方の両側面に当接するように配置されている。ヒューズローディングブロックガイド３６は、ヒューズローディングブロック用チャネル３８を規定し、このヒューズローディングブロック用チャネル３８は、対応するヒューズローディングブロック１４、１６の摺動を一方向に制限するものである。
【００２１】
第１付勢バネガイドチャネル４０および第２付勢バネガイドチャネル４２は、ヒューズ位置決めテンプレート１２の上面２４に形成されて第１付勢バネ１８および第２付勢バネ２０をそれぞれ保持するものである。後述のように、付勢バネは、ヒューズローディングブロック１４、１６に作用して、ローディングブロックを第１の位置に付勢する。第１ヒューズローディングブロック１４および第２ヒューズローディングブロック１６の付勢機構の一例として付勢バネを示したが、第１ヒューズローディングブロック１４および第２ヒューズローディングブロック１６を第１の位置に保持するのに十分な力を提供可能な任意の好適な付勢機構を、本開示の原理から逸脱しない範囲で使用してもよい。
【００２２】
複数の留め具ホルダ４４は、ほぼ円形の柱状の形状でヒューズ位置決めテンプレート１２の上面２４から上方に向かって延設されている。
【００２３】
ヒューズ位置決めテンプレート１２の底面２６は、複数の位置合わせ溝４６を含み、この位置合わせ溝４６は、ヒューズリレーセンター（図示せず）に形成された位置合わせノッチに係合して、ヒューズ位置決めテンプレート１２を正しい方向に向けて、容易かつ確実にヒューズリレーセンター上に配置されるようにするものである。典型的には、ヒューズ位置決め器具１０の位置合わせ溝４６とヒューズリレーセンターの位置合わせノッチは、位置合わせ溝４６が位置合わせノッチと一方向でのみ位置合わせされるように構成され、これによりヒューズ位置決め器具１０はヒューズリレーセンター上の適切な位置にいつでも確実に配置される。
【００２４】
第１ヒューズローディングブロック１４および第２ヒューズローディングブロック１６はそれぞれ上面４８と底面５０を含む。さらに、第１ヒューズローディングブロック１４および第２ヒューズローディングブロック１６はそれぞれ、複数のヒューズローディング開口部５２を含み、このヒューズローディング開口部５２は、各ヒューズローディングブロックを貫通して延設されて、それぞれ別のヒューズ位置決め開口部２８に対応するものである。図１に示すように、第１ヒューズローディングブロック１４のヒューズローディング開口部５２は、ヒューズ位置決めテンプレート１２の長手方向に沿った面３２に平行に並べて配置され、第２ヒューズローディングブロック１６のヒューズローディング開口部５２は、ヒューズ位置決めテンプレート１２の横方向に沿った面３４に平行に並べて配置されている。ヒューズローディング開口部５２の個々の配置や向きは、上述のように、ヒューズ位置決め器具１０と共に用いるヒューズリレーセンターのヒューズホルダの個別のレイアウトに応じて変化するヒューズ位置決めテンプレート１２のヒューズ位置決め開口部２８に応じて変更してもよい。
【００２５】
さらに、第１ヒューズローディングブロック１４および第２ヒューズローディングブロック１６の上面４８は、複数のヒューズテンプレートポケット（pockets）５４を含み、このヒューズテンプレートポケット５４は、上面４８に穿設されているが底面５０まで貫通していない。ヒューズテンプレートポケット５４は、特定のヒューズローディング開口部５２に隣接してそのヒューズローディング開口部５２に配置されるべきヒューズの種類を示すテンプレートヒューズを保持し得る大きさを有する。ヒューズテンプレートポケット５４は、その中に配置されたヒューズが上面４８と面一となるような大きさとしてもよく、またその中に配置されたテンプレートヒューズが上面４８から突出する大きさとして、テンプレートヒューズを容易に摘んで取り外せるようにしてもよい。典型的には、ヒューズテンプレートポケット５４は、ヒューズ位置決め器具１０が実際に用いられているトラックのすべての作りやモデルに共通のヒューズを要求するヒューズローディング開口部５２に隣接して配置される。
【００２６】
さらに、第１ヒューズローディングブロック１４および第２ヒューズローディングブロック１６の上面４８は、一対の細長い穴５６を含む。細長い穴５６のそれぞれは、ヒューズローディングブロックがヒューズ位置決めテンプレート１２上に配置されたときに、留め具ホルダ４４を収容するものである。細長い穴５６のそれぞれは、一方の留め具ホルダ４４の直径とほぼ同じ幅を有する。留め具ホルダ４４は、ヒューズローディングブロックを一方向に摺動可能とし、また動きの始点と終点を規定するものである。一実施形態では、第１ヒューズローディングブロック１４の一対の細長い穴５６は、ヒューズ位置決めテンプレート１２の横方向に沿った面３４に平行な方向に動くように方向付けられており、第２ヒューズローディングブロック１６の一対の細長い穴５６は、ヒューズ位置決めテンプレート１２の長手方向に沿った面３２に平行な方向に動くように方向付けられている。留め具２２のそれぞれは、それぞれ別の細長い穴５６を通ってそれぞれ別の留め具ホルダ４４内に延びている。
【００２７】
図４、図５および図６Ａに示すように、第１ヒューズローディングブロック１４と第２ヒューズローディングブロック１６の両方の底面５０は、底面５０から下方に向かって延びる付勢ポスト５８を含む。付勢ポスト５８は、第１ヒューズローディングブロック１４の場合には第１付勢バネガイドチャネル４０内まで、第２ヒューズローディングブロック１６の場合には第２付勢バネガイドチャネル４２内まで、延びるのに十分な幅と深さを有する。
【００２８】
図４は、本開示の一実施形態による第１ヒューズローディングブロック１４の底面図である。図示されるように、第１ヒューズローディングブロック１４は、ヒューズローディング開口部５２を含む。さらに、第１ヒューズローディングブロック１４は、一対の細長い穴５６と、付勢ポスト５８とを含む。
【００２９】
図５は、本開示の一実施形態による第２ヒューズローディングブロック１６の底面図である。図示されるように、第２ヒューズローディングブロック１６は、ヒューズローディング開口部５２を含む。さらに、第２ヒューズローディングブロック１６は、一対の細長い穴５６と、付勢ポスト５８とを含む。
【００３０】
図３Ａは、本開示の一実施形態によるヒューズ位置決め器具１０の平面図であり、第１ヒューズローディングブロック１４および第２ヒューズローディングブロック１６のそれぞれは、上述の第１の位置にある。すなわち、ヒューズローディング開口部５２がヒューズ位置決めテンプレート１２のヒューズ止め部３０と位置合わせされることでヒューズローディング開口部５２内に配置されたヒューズがヒューズローディング開口部５２内で保持されてヒューズ位置決めテンプレート１２を通り抜けてしまわないように、第１ヒューズローディングブロック１４および第２ヒューズローディングブロック１６のそれぞれが配置されている。第１断面図の６Ａ−６Ａ’と第２断面図の６Ｂ−６Ｂ’はそれぞれ図３Ａに示し、その詳細は図６Ａおよび図６Ｂに示す。
【００３１】
図３Ｂは、ヒューズ位置決め器具１０の平面図であり、ここで、第１ヒューズローディングブロック１４は第１の位置のまま、第２ヒューズローディングブロック１６に力が作用して第２ヒューズローディングブロック１６を上述の第２の位置に動かしている。第２ヒューズローディングブロック１６の第２の位置において、そのヒューズローディング開口部５２は、ヒューズ位置決めテンプレート１２のヒューズ位置決め開口部２８と位置合わせされて、これによりヒューズローディング開口部５２内に配置されたヒューズが、ヒューズ位置決め開口部２８を通って、ヒューズリレーセンター（ヒューズ位置決め器具１０がその上に配置されている）のヒューズホルダ内に落下する。第３断面図の７Ａ−７Ａ’と第４断面図の７Ｂ−７Ｂ’はそれぞれ図３Ｂに示し、その詳細は図７Ａおよび図７Ｂに示す。
【００３２】
図６Ａ、図６Ｂおよび図７Ａ、図７Ｂは、本開示の一実施形態によるヒューズ位置決め器具１０の動作の詳細を示す図である。図６Ａおよび図６Ｂのそれぞれは、図３Ａの６Ａ−６Ａ’線および６Ｂ−６Ｂ’線による断面図であり、第２ヒューズローディングブロック１６が第１の位置に付勢されたときのヒューズ位置決めテンプレート１２および第２ヒューズローディングブロック１６を図示している。図示されていないが、第１ヒューズローディングブロック１４の動作の詳細は、第２ヒューズローディングブロック１６に関して後述するものとほぼ同様であり、当業者によって容易に理解されるであろう。図６Ａに示すように、第２付勢バネ２０は、第２ヒューズローディングブロック１６の付勢ポスト５８と第２付勢バネガイドチャネル４２の面との間に配置され、第２ヒューズローディングブロック１６が第１の位置に保持されるように力を加えるものである。第２ヒューズローディングブロック１６の第１の位置において、そのヒューズローディング開口部５２は、ヒューズ位置決めテンプレート１２のヒューズ止め部３０と位置合わせされて、ヒューズローディング開口部の底端が閉塞される。さらに、図６Ｂに示すように、ヒューズ位置決めテンプレート１２の留め具ホルダ４４は、第２ヒューズローディングブロック１６の細長い穴５６の第１の面６０に当接している。
【００３３】
図６Ａに戻って説明すると、テンプレートヒューズ６２は、第２ヒューズローディングブロック１６のヒューズテンプレートポケット５４に差し込まれた状態で図示されている。さらに、ヒューズ位置決め器具１０は、複数のヒューズホルダ６６を含むヒューズリレーセンター６４の上にある状態で図示されており、複数のヒューズ６８は、ヒューズローディング開口部５２内に差し込まれた状態で図示されている。各ヒューズ６８は、ヒューズローディング開口部５２内で、ヒューズローディング開口部５２の下方にそれぞれ位置するヒューズ位置決めテンプレート１２のヒューズ止め部３０により保持されている。特に、ヒューズローディング開口部５２は、所定位置でヒューズ６８を垂直に保持しつつヒューズ６８が正しく配置されているかを容易に確認できるような大きさを有する。さらに、ヒューズローディング開口部５２は、その中に配置されたヒューズ６８が誤った位置にある場合にそのヒューズ６８を容易に取り除いて取り替えることができるような大きさを有している。作業員は、１以上のヒューズテンプレートポケット５４内のテンプレートヒューズ６２によっておよび／または作業員に提供される記述的又は視覚的指示によって指定されるように、ヒューズ６８をヒューズローディング開口部５２内に配置してもよい。
【００３４】
図７Ａおよび図７Ｂは、それぞれ、図３Ｂの７Ａ−７Ａ’線および７Ｂ−７Ｂ’線による断面図であり、差し込まれたヒューズ６８を排出すべく第２ヒューズローディングブロック１６が第２の位置に動いた後のヒューズ位置決めテンプレート１２と第２ヒューズローディングブロック１６を示している。図７Ａに示すように、第２付勢バネ２０による力を打ち消す方向の力が第２ヒューズローディングブロック１６に加わると、第２付勢バネ２０は圧縮され、これにより第２ヒューズローディングブロック１６が第２の位置に移動して、ヒューズローディング開口部５２がヒューズ位置決めテンプレート１２のヒューズ位置決め開口部２８と位置合わせされる。第２ヒューズローディングブロック１６の細長い穴５６の細長い部分はヒューズ位置決めテンプレート１２の留め具ホルダ４４に沿って移動し、留め具ホルダ４４が細長い穴５６の第２の面７０に当接する。第２の位置において、ヒューズ６８は、ヒューズローディング開口部５２を通って、さらにヒューズ位置決め開口部２８を通って、ヒューズリレーセンター６４のヒューズホルダ６６のそれぞれに落下する。ヒューズ６８は、ヒューズリレーセンター６４のヒューズホルダ６６により所定位置で垂直に保持されるが、まだ完全に固定されない。典型的には、第２ヒューズローディングブロック１６は、ヒューズ６８が配置されてヒューズが正しく配置されたことが確認されたときに作業員によって第２の位置に移動させられる。作業員が、まずヒューズ６８を配置し、続いてヒューズ６８を所定の位置に落下させる前にその配置の正確さを確認することができるようにすることで、作業員がヒューズを配置する際の効率と正確さの両方を著しく改善することができる。
【００３５】
図８Ａは、ヒューズ位置決め器具１０を取り除いた後のヒューズリレーセンター６４を示している。固定用工具７２をヒューズ６８の上部に配置し押し下げることで、ヒューズ６８がヒューズリレーセンター６４のヒューズホルダ６６内に適切に固定される。図８Ｂは、ヒューズリレーセンター６４のヒューズホルダ６６に適切に固定されたヒューズ６８を示している。
【００３６】
ヒューズをヒューズリレーセンターに配置するためにヒューズ位置決め器具１０を使用すると、ヒューズを手作業で配置したときと比較して、タスクの効率と正確さは共に大きく改善される。テンプレートヒューズを視覚的な指示として用いることで、また、作業員がヒューズをヒューズ位置決め器具１０内に容易に配置すると共に所定位置に落とすことを選択する前に配置したヒューズを容易に確認できるようにすることで、トラック製造プロセスのこの工程を著しく改善することができる。
【００３７】
当業者であれば、本開示の好ましい実施形態の改善および変形は容易に理解される。そのような改善や変形は、本明細書と請求の範囲において開示される思想の要旨に含まれるものと解釈されるものである。
【図１】
0006475855.tif 000002
【図２】
0006475855.tif 000003
【図３Ａ】
0006475855.tif 000004
【図３Ｂ】
0006475855.tif 000005
【図４】
0006475855.tif 000006
【図５】
0006475855.tif 000007
【図６Ａ】
0006475855.tif 000008
【図６Ｂ】
0006475855.tif 000009
【図７Ａ】
0006475855.tif 000010
【図７Ｂ】
0006475855.tif 000011
【図８Ａ】
0006475855.tif 000012
【図８Ｂ】
0006475855.tif 000013